(57)【特許請求の範囲】
【請求項１】
ガス燃焼圧で駆動されるブレードを内蔵した本体と、
前記ブレードの前進動でファスナーを打ち出しできるようにファスナーの打ち出し通路を有するヘッド部と、
前記打ち出し通路にファスナーを１本ずつ供給するためにヘッド部の下面に設けたマガジンと、
前記ブレードを駆動させるためのトリガーと、
前記ヘッド部を囲うカバーとを備えており、
前記ヘッド部はマガジンの前方に延びる先端部を備えており、前記ヘッド部には、本体に対して相対的に後退動することによって前記トリガーの作動によるブレードの前進動を可能にするノーズ部材が設けられているガス燃焼圧駆動方式の手持ち式打ち込み工具であって、
前記ノーズ部材は、マガジンよりも前方の部位においてファスナーの打ち出し通路を囲う先端部と、ヘッド部を水平にした状態でその上面に沿って後方に延びる連結部とを備えており、連結部は、ヘッド部を水平にした状態でノーズ部材における先端部の上面よりも高い高さになっている一方、
前記カバーは、前記ヘッド部のうち先端部を除いた大部分と前記ノーズ部材の連結部とを上方から覆うように下向きの切り開き穴を有する主体部と、ヘッド部の先端部及びノーズ部材の先端部を囲う筒状先端部とを備えており、前記カバーの主体部は筒状先端部に向けて先窄まりの略砲弾形に形成されており、カバーの筒状先端部は、ヘッド部を水平にした正面視で左右幅寸法よりも上下幅寸法が大きい断面形状になっており、
更に、前記ノーズ部材の先端部は、ワークへの当接によって本体に対して相対的に後退動し得るようにカバーにおける筒状先端部の前端面から前方に露出する部分を有しており、カバーの筒状先端部とノーズ部材の先端部との間の隙間を、人が指でノーズ部材の先端部を動かし難いように僅かの寸法に設定しており、更に、前記ノーズ部材は、本体から相対的に前進し切った状態で、前記ブレードの前進動を可能ならしめるための移動ストロークよりも僅かに大きい寸法だけカバーの筒状先端部から露出しており、その結果、ブレードの前進を可能ならしめる状態までノーズ部材が本体に対して相対的に後退した状態で、人がノーズ部材を指先で掴むためには指先をノーズ部材の内側にはみ出させなければならない状態になっている、
ガス燃焼圧駆動方式の手持ち式打ち込み工具。
【発明の詳細な説明】
【０００１】
【発明の属する技術分野】
本発明は、釘打ち機のような手持ち式打ち込み工具に関するものである。
【０００２】
【従来の技術】
手持ち式打ち込み工具は、軸方向に往復動する棒状のブレードで釘等のファスナーをワークに向けて打ち出す構造になっており、ブレードを駆動する動力源として、圧縮空気を使用したものや電気（電磁力）を使用したもの、或いはガス燃焼圧を使用したものなどがある。
【０００３】
いずれにしても、手持ち式打ち込み工具は、ブレードを内蔵すると共にグリップを設けた本体と、ブレードが前進する通路を備えたヘッド部と、ヘッド部にファスナーを１本ずつ供給するファスナー収容部と、ブレードを駆動するためのトリガーとを備えている。
【０００４】
また、この種の手持ち式打ち込み工具は、単にトリガーを引いただけでファスナーが打ち出されると危険であるため、ヘッド部に、安全装置として、本体に対して相対的に後退するノーズ部材を設けている。
【０００５】
すなわち、ノーズ部材は、その前端部がヘッド部の前端から突出していると共に本体から前進した状態にばねで押されており、この前進状態では、ブレードの駆動にはロックが掛かっており、トリガーを引いてもブレードは前進しない。
【０００６】
そして、ノーズ部材をワークに押し付けると、ノーズ部材がばねに抗して相対的に後退し、このノーズ部材の相対的な後退動に連動してブレードの駆動に対するロックが解除され、その結果、トリガーを引くとブレードが前進する。
【０００７】
ところで、ヘッド部が露出したままであると、他の物に当たるなどして損傷する虞がある。そこで、特開２０００−７８１号公報及び特開２０００−３５４９７９号公報は、ガス燃焼圧駆動式の打ち込み工具において、ヘッド部をカバー（保護シールド）で覆うことを提案している。
【０００８】
特に、後者の公報の図７〜図１２の実施形態では、溝形のワークにファスナーを打ち込む場合にカバーがワークにつかえることを防止するために、カバーの先端部を小径の円筒状（真円の筒状）に形成することが記載されている。
【０００９】
【発明が解決しようとする課題】
ところで、ヘッドの先端部はノーズ部材だけで構成されるとは限らず、ノーズ部材の下方に、ファスナーの打ち出しをガイドするガイド体も存在する。他方、ワークの狭い場所に打ち込む場合にもカバーがワークにつかえないようにするためには、カバーの先端部をできるだけ小径にするのが好ましい。
【００１０】
しかし、前記公報のようにカバーの先端部の断面形状が真円であると、カバーの先端部をできるだけ小径にするためにはガイド体の上下厚さ寸法は小さくしなければならず、このため、ガイド体を頑丈な構造にし難い虞がある。
【００１１】
本願発明は、このような状況を改善することを課題とするものである。
【００１２】
【課題を解決するための手段】
本願発明の打ち込み工具は、ガス燃焼圧で駆動されるブレードを内蔵した本体と、前記ブレードの前進動でファスナーを打ち出しできるようにファスナーの打ち出し通路を有するヘッド部と、前記打ち出し通路にファスナーを１本ずつ供給するためにヘッド部の下面に設けたマガジンと、前記ブレードを駆動させるためのトリガーと、前記ヘッド部を囲うカバーとを備えており、前記ヘッド部はマガジンの前方に延びる先端部を備えており、前記ヘッド部には、本体に対して相対的に後退動することによって前記トリガーの作動によるブレードの前進動を可能にするノーズ部材が設けられている。
【００１３】
前記ノーズ部材は、マガジンよりも前方の部位においてファスナーの打ち出し通路を囲う先端部と、ヘッド部を水平にした状態でその上面に沿って後方に延びる連結部とを備えており、ノーズ部材の先端部と連結部とは、ヘッド部を水平にした状態で連結部が先端部の上面よりも高くなるように側面視で段違いになっている。
【００１４】
前記カバーは、前記カバーは、前記ヘッド部のうち先端部を除いた大部分と前記ノーズ部材の連結部とを上方から覆うように下向きの切り開き穴を有する主体部と、ヘッド部の先端部及びノーズ部材の先端部を囲う筒状先端部とを備えており、前記カバーの主体部は筒状先端部に向けて先窄まりの略砲弾形に形成されており、カバーの筒状先端部は、ヘッド部を水平にした正面視で左右幅寸法よりも上下幅寸法が大きい断面形状になっている。
【００１５】
更に、前記ノーズ部材の先端部は、ワークへの当接によって本体に対して相対的に後退動し得るようにカバーにおける筒状先端部の前端面から前方に露出する部分を有しており、カバーの筒状先端部とノーズ部材の先端部との間の隙間を、人が指でノーズ部材の先端部を動かし難いように僅かの寸法に設定している。
加えて、前記ノーズ部材は、本体から相対的に前進し切った状態で、前記ブレードの前進動を可能ならしめるための移動ストロークよりも僅かに大きい寸法だけカバーの筒状先端部から露出しており、その結果、ブレードの前進を可能ならしめる状態までノーズ部材が本体に対して相対的に後退した状態で、人がノーズ部材を指先で掴むためには指先をノーズ部材の内側にはみ出させなければならない状態になっている。
【００１６】
【発明の作用・効果】
本発明では、カバーの筒状先端部は上下に長い縦長の断面形状であるため、ノーズ部材の下方にガイド体が存在する場合に当該ガイド体の上下厚さ寸法を大きくできるなど、ヘッド部のうちノーズ部材で囲われた部位の設計の自由性を向上することができる。
【００１７】
また、左右巾寸法はノーズ部材を覆うだけの必要最小限度の寸法があれば足りるため、ファスナーを溝形のワークに打ち込む場合でも、カバーがワークにつかえて打ち込み不能になる事態を防止又は著しく抑制することができる。
【００１８】
従って、本発明によると、ワークの狭い部位への打ち込みの確実性を損なうことなく、ヘッド部のうちカバーの筒状先端部で覆われた部分の設計の自由性を向上することができる。
【００１９】
【発明の実施形態】
次に、本発明の実施形態を図面に基づいて説明する。
【００２０】
(1).第１実施形態（図１〜図９）
図１〜図９では第１実施形態を示している。本実施形態はガス燃焼式の打ち込み工具に適用しており、図１で打ち込み工具の全体を示している。
【００２１】
(2).第１実施形態の概要
図１に示すように、打ち込み工具は、本体（ハウジング）１と、本体１の先端に取り付けたヘッド部２と、ファスナー収容部の一例としての傾斜状に延びるマガジン３と、ヘッド部２を覆う金属板製のカバー（シュラウド）４とを備えている。
【００２２】
本体１の下面にはグリップ５を設けており、グリップ５にはトリガー６を設けている。マガジン３は着脱式であり、上端はヘッド部２に固定され、下端はグリップ５に固定されている。
【００２３】
本実施形態では、打ち込み工具は釘の打ち込みに使用している。図２に示すように、多数本の釘ｎを並列状に並べた状態でテープｔに固定することによって連結釘Ｎが構成されており、この連結釘Ｎがマガジン３に装填される。連結釘Ｎは図示しないばねで上向きに付勢されている。
【００２４】
マガジン３には、連結釘Ｎを覆う蓋板７を設けており、この蓋板７は、その上端部において２本のねじ８でマガジン３に固定されている。
【００２５】
マガジン３が傾斜しているため、隣合った釘ｎは軸方向に少しずつずれている。また、釘ｎを隙間なく重ねるために、釘ｎの頭を部分的にカットしている。
【００２６】
なお、この打ち込み工具は、頭付きピンやリベットなど、様々の棒状ファスナーの打ち込みに使用することができる。また、マガジン３は、ヘッド部２から真下に延びる形態にしたり、ドラム型に形成するなど、様々の形態を採用できる（マガジン３の形態の違いに応じて連結ファスナーの形態も違ってくる）。
【００２７】
(3).本体の内部構造
次に、図３〜図５を参照して、打ち込み工具の構造を説明する。図３はカバー４を分離した状態での全体の縦断側面図、図４は要部の縦断側面図、図５はヘッド部２の分離斜視図である。
【００２８】
図３に示すように、本体１は筒状に形成されており、その内部にはシリンダ９を配置している。シリンダ９の内部には、棒状のブレード１１を備えたピストンが摺動自在にはめ込まれている。シリンダ９の後方には燃焼室１２を設けており、燃焼室１２にはファン１３を露出させている。
【００２９】
本体１の内部のうちシリンダ９の下方には、ガスカートリッジ（ボンベ）１４を装填するポケット１５が設けられている。ポケット１５の端部に、ガスカートリッジ１４のガスを一定量だけ噴出させる定量弁装置１６を設けている。定量弁装置１４にはノズル（図示せず）が内蔵されており、ノズルと燃焼室１２とは通路を介して接続されている。
【００３０】
ポケット１５の後部には、定量弁装置１４のノズルを作動させるための押圧部材１７がピン１８にて回動自在に取付けられている。押圧部材１７がピン１８を中心に時計回りに回動すると、定量弁装置１４のノズルが押されて、一定量のガスが燃焼室１２に供給される。
【００３１】
シリンダ９の後部にはスリーブ１９が外側から嵌まっており、スリーブ１９が後退すると前記した押圧部材１７が回動する。スリーブ１９の上部には、シリンダ９の上面に沿って延びる連動板２０が係止されており、連動板２０の前端部２０ａは、シリンダ９の前方で下向きに延びている。連動板２０は、圧縮ばね２１で前向きに付勢されている。
【００３２】
(4).ヘッド部の構造
図４に示すように、ヘッド部２は上下ガイド体２３，２４を備えている。上ガイド体２３の下面には、１本の釘ｎが通るガイド溝２５が全長にわたって延びるように形成されている。ブレード１１がガイド溝２５の内部を前進すると、連結釘Ｎの最上端に位置した１本の釘ｎが打ち出される。
【００３３】
下ガイド体２４は、連結釘Ｎの通過を許容するため、後ろ向きに大きく切り開かれている（切り開き溝を図４に符号２６で示す）。
【００３４】
本体１の前面には、リング状の押さえ板２８を介してフロントブロック２７が第１ボルト（六角穴付きボルト）２９で固定されており、このフロントブロック２７に、上ガイド体２３の後部がピン（図示せず）で固定されている。第１ボルト２９は、本体１の前面のうち正面視で上部の１ヶ所と左右下部の２ヶ所との合計３箇所に設けている。
【００３５】
図５に符号３０の線で概念的に示すように、上下ガイド体２３，２４とマガジン３とは側面視傾斜状のピンで固定されている。図では詳細は示していないが、前記ピンは下ガイド体２４に固定されており、このピンに上ガイド体２３が上方から嵌まり、下方からマガジン３が嵌まっている。
【００３６】
図４に示すように、上下ガイド体２３，２４の先端部はマガジン４の前方に突出しており、上下ガイドタイ２３，２４の先端部に、ノーズ部材３１の先端部３１ｂが嵌まっている。ノーズ部材３１の先端部３１ｂは角形に形成されている。ノーズ部材３１の先端部３１ｂはガイド体２３，２４の先端から突出した部分を有している。更に、ノーズ部材３１は、上ガイド体２３の上面に沿って後方に延びる連結部３１ａを備えており、連結部３１ａには、後方に延びる作動板３２が第２ボルト３３で締結されている。図４に示すように、ヘッド部２を水平状にした状態で、ノーズ部材３１の連結部３１ａは先端部３ｂの上面よりも高さが高くなっている。
【００３７】
作動板３２は前記フロントブロック２７を貫通して本体１の内部に延びており、作動板３２の後端には、連動板２０の前端部２０ａと重なる下向き押圧部３２ａが折曲げ形成されている。
【００３８】
(5).安全装置の働き
ノーズ部材３１が突出している状態では連動板２０及びスリーブ１９はばね２１によって前進しているため、ガスは燃焼室１２は供給されない。このため、トリガー６を引いてもブレード１１は前進しない。すなわち、ブレード１１は前進不能にロックされている。
【００３９】
他方、ノーズ部材３１をワークＷの表面に押し当てると、連動板２０及びスリーブ１９が本体１に対して相対的に後退するため、押圧部材１７が回動して（ロックが解除されて）ガスが燃焼室６に供給される。このため、トリガー６を引くと、ファン１２によって攪拌されたガスが爆発し、ブレード１１が前進して釘ｎが打ち出される。
【００４０】
(6).カバー
カバー４は、図１，図３、図４の他に図６〜図８にも表示している。図６（Ａ）は斜め前方から見た斜視図、図６（Ｂ）は斜め後方から見た斜視図、図７は縦断右側面図、図８は正面図である。
【００４１】
カバー４は、ノーズ部材３１のうち先端部３１ｂを除いた部分とヘッド部２のうち先端部を除いた部分とを上方から覆う主体部４ａと、ノーズ部材３１の先端部３１ｂ及びヘッド部の先端部を囲う筒状先端部４ｂと、主体部４ａの後端に溶接やろう付けで固着した底板４ｃとから成っている。
【００４２】
カバー４の主体部４ａは先窄まりの略砲弾形に形成されており、その下面には、ヘッド部２に上方から嵌まるように切り開かれている（下向き切り開き穴を符号３７で示す）。
【００４３】
この場合、主体部４ａの左右両側部には、前後２ヶ所に上向き抉り部３８が形成されている。このため、下向き開口穴３７は側面視で略Ｍ字状になっている。これは、ヘッド部２をできるだけ広く覆いつつ、前記したマガジン３のカバー４を着脱するため等のねじ８の回転操作を可能ならしめるためである（上向き抉り部３８の箇所にねじ８の頭が位置する）。ねじ８はマガジン３を下ガイド体２４に固定するものであってもよい。
【００４４】
前記底板４ｃと前記押さえ板２８及びフロントブロック２７とを、第１ボルト２９で本体１に一体に共締めしている。底板４ｃには、ボルト挿入穴３９の他に、フロントブロック２７に嵌まる窓穴４０が空いている。
【００４５】
カバー４の主体部４ａのうち第２ボルト３３の上方の部位には、前後方向に延びる長穴４１が空いている。図３及び図４から容易に理解できるように、長穴４１の存在により、頂点箇所に位置した第１ボルト２９のねじ込み・ねじ戻しが可能となると共に、第２ボルト３３を回転操作してのノーズ部材３１の位置調節が可能となる。
【００４６】
カバー４の筒状先端部４ｂは、打ち込み工具を水平状の姿勢にして普通に持った状態で左右巾寸法Ｗ１よりも上下巾寸法Ｗ２が大きい長楕円の断面形状であり、かつ、ストレート状に形成されている。また、筒状先端部４ｂの左右巾寸法は、その左右内側面とノーズ部材３１との間に僅かの隙間しかできない大きさに設定されている。
【００４７】
ノーズ部材３１が本体１に対して相対的に後退することを許容するため、ノーズ部材３１は、その移動ストロークよりも多少（僅かに）大きい寸法だけカバーの筒状先端部４ｂから露出している（図９も参照）。
【００４８】
(7).利点
以上の構成において、カバー４の筒状先端部４ｂは上下方向に長い断面形状であるため、下ガイド体２４の先端部の厚さ寸法Ｔを大きくすることができ、その結果、下ガイド体２４の強度を向上することができる。
【００４９】
また、例えば図６に示すように、ワークＷが溝巾の小さいチャンネル材であっても、カバー４がワークＷにつかえて打ち込み不能になることは全く又は殆どない。
【００５０】
なお、ワークＷの溝が水平方向に延びている場合は、打ち込み工具を横向きに寝かした姿勢で作業を行えば良い。すなわち、ブレード１２の軸方向から見てカバー４の筒状先端部４ｂがワークＷの溝と同じ方向に長く延びる姿勢になるようにしたら良い。
【００５１】
ところで、カバー４の筒状先端部４ｂとノーズ部材３１との間に人の指を差し込むことはできないため、人が指でノーズ部材３１を後退させて空打ちを行おうとすると、指先でノーズ部材３１の先端縁を掴まなければならない。すると、指先がノーズ部材３１の内側にはみ出て、釘ｎの発射によって怪我をする虞がある。
【００５２】
従って、人がノーズ部材３１を後退させようとする気持ちを抱くことは一般には生じず、このため、釘の空打ちを抑制して安全性を向上することができる。
【図面の簡単な説明】
【図１】第１実施形態に係る打ち込み工具の全体斜視図である。
【図２】打ち込み工具に使用する連結釘の部分側面図である。
【図３】カバーを分離した状態での全体の縦断側面図である。
【図４】要部の縦断側面図である。
【図５】ヘッド部の分離斜視図である。
【図６】カバーの斜視図である。
【図７】カバーの縦断側面図である。
【図８】カバーの正面図である。
【図９】打ち込み状態を示す部分的な側断面図である。
【符号の説明】
１  本体
２  ヘッド部
３  マガジン
４  カバー
４ａ  主体部
４ｂ  筒状先端部
５  グリップ
６  トリガー
９  シリンダー
１０  ピストン
１１  ブレード
１２  燃焼室
２０  連動板
２１  ばね
２３，２４  ガイド体
３１  ノーズ部材
３２  作動板
【図１】
0003811619.tif 000002
【図２】
0003811619.tif 000003
【図３】
0003811619.tif 000004
【図４】
0003811619.tif 000005
【図５】
0003811619.tif 000006
【図６】
0003811619.tif 000007
【図７】
0003811619.tif 000008
【図８】
0003811619.tif 000009
【図９】
0003811619.tif 000010